(57)【要約】【課題】スカーフ等の帯状体とともに使用可能な襟巻を提供する。【解決手段】長手方向及び短手方向を有する表面素材及び裏面素材を備える本体と、裏面素材の長手方向における一端に設けられ、一端から離れる方向において一端との間に間隙を形成する第１ループと、裏面素材の長手方向における他端に設けられ、他端から離れる方向において他端との間に間隙を形成する第２ループとを備えた、襟巻。【選択図】図２
2018035480.tif 000002
【特許請求の範囲】
【請求項１】
長手方向及び短手方向を有する表面素材及び裏面素材を備える本体と、
前記裏面素材の前記長手方向における一端に設けられ、前記一端から離れる方向において前記一端との間に間隙を形成する第１ループと、
前記裏面素材の前記長手方向における他端に設けられ、前記他端から離れる方向において前記他端との間に間隙を形成する第２ループと
を備えた、襟巻。
【請求項２】
前記裏面素材の前記長手方向における前記一端と前記他端との間において前記裏面素材に設けられ、前記裏面素材との間において帯状体を前記長手方向に沿った方向に導くことができる間隙を形成する第３ループをさらに備えた、請求項１に記載の襟巻。
【請求項３】
前記表面素材は毛皮であり、前記裏面素材が布状生地である、請求項１に記載の襟巻。
【請求項４】
前記第１ループは、直線部分と当該直線部分の両端に接続された円弧部分とからなるＤ字形状のリングであり、当該直線部分は、前記裏面生地の前記一端において前記裏面生地に対して固定されており、当該円弧部分は、前記長手方向に沿った方向において前記裏面生地の前記一端から突出して設けられ、前記裏面生地の前記一端との間に前記間隙を形成しており、
前記第２ループは、直線部分と当該直線部分の両端に接続された円弧部分とからなるＤ字形状のリングであり、当該直線部分は、前記裏面生地の前記他端において前記裏面生地に対して固定されており、当該円弧部分は、前記長手方向に沿った方向において前記裏面生地の前記他端から突出して設けられ、前記裏面生地の前記他端との間に前記間隙を形成する、請求項１から３のいずれか１項に記載の襟巻。
【請求項５】
前記第１ループ及び前記第２ループは、少なくとも前記直前部分の断面形状が矩形である、請求項４に記載の襟巻。
【請求項６】
前記第１ループ及び前記第２ループは、金属により形成された、請求項に４又は５に記載の襟巻。
【請求項７】
前記第１ループの前記直線部分を前記表面素材及び前記裏面素材の一方又は双方に対して固定する第１固定部と、
前記第２ループの前記直線部分を前記表面素材及び前記裏面素材の一方又は双方に対して固定する第２固定部と
をさらに備えた、請求項４から６のいずれか１項に記載の襟巻。
【請求項８】
前記表面素材と前記裏面素材との間に設けられた中間素材をさらに備え、
前記第１固定部及び前記第２固定部は、前記表面素材及び前記中間素材に対して固定されている、請求項７に記載の襟巻。
【請求項９】
前記第１ループ及び前記第２ループは、前記直線部分の中心が、前記裏面素材の短手方向における中心よりも端部寄りに位置するように、前記裏面生地に対して固定された、請求項４から８のいずれか１項に記載の襟巻。
【請求項１０】
前記長手方向において所定の間隔で設けられた複数の前記第３ループを有する、請求項１から９のいずれか１項に記載の襟巻。
【請求項１１】
前記複数の第３ループのうちの１つは、前記裏面素材の前記長手方向における中央部に設けられており、前記長手方向の幅が、前記複数の第３ループのうちの他の第３ループの長手方向における幅よりも広い、請求項１０に記載の襟巻。
【請求項１２】
前記裏地素材の摩擦係数は、前記第３ループを形成する素材の摩擦係数よりも低い、請求項１０又は１１に記載の襟巻。
【請求項１３】
前記本体は、前記長手方向において湾曲している、請求項１から１２のいずれか１項に記載の襟巻。
【発明の詳細な説明】
【技術分野】
【０００１】
本発明は、例えばスカーフ等の帯状体とともに使用可能な襟巻に関する。
【背景技術】
【０００２】
従来の首巻きとして、例えば特許文献１に、首巻の裏面側にスカーフやマフラーを保持する保持手段を備えたものが開示されている。
【先行技術文献】
【特許文献】
【０００３】
【特許文献１】特開２００９−７７１４号公報
【発明の概要】
【発明が解決しようとする課題】
【０００４】
しかしながら、上記従来の首巻きでは、スカーフやマフラーが首巻に対して簡単にずれてしまうため、スカーフやマフラーを美しくアレンジできないという問題が生じていた。
【０００５】
本発明はこのような事情に鑑みてなされたものであり、スカーフ等の帯状体を安定して装着することができる襟巻を提供することを目的とする。
【課題を解決するための手段】
【０００６】
本発明の一側面に係る襟巻は、長手方向及び短手方向を有する表面素材及び裏面素材を備える本体と、裏面素材の長手方向における一端に設けられ、一端から離れる方向において一端との間に間隙を形成する第１ループと、裏面素材の長手方向における他端に設けられ、他端から離れる方向において他端との間に間隙を形成する第２ループとを備える。
【図面の簡単な説明】
【０００７】
【図１】本発明の一実施形態に係る襟巻１０の表面を示す模式図である。
【図２】襟巻１０の裏面を示す模式図である。
【図３】襟巻１０の端部の拡大図（図３（ａ））及び当該端部のＡＡ´断面図である。
【図４】襟巻１０のループ３０〜３８並びにリング４０及び５０に、スカーフ９０を通した状態を示す模式図である。
【図５】スカーフ９０を装着した襟巻１０を首回りに着用した状態を示す模式図である。
【発明を実施するための形態】
【０００８】
図１は、本発明の一実施形態に係る襟巻１０を表面から見た模式図である。また、図２は、襟巻１０を裏面から見た模式図である。また、図４は、襟巻１０のループ３０〜３８並びにリング４０及び５０に、スカーフ９０を通した状態を示す模式図である。図１〜４を参照して、本実施形態に係る襟巻１０の構成を説明する。
【０００９】
本実施形態において、襟巻１０は、毛皮２２並びに布地２４及び２６からなる本体２０と、ガイド３０〜３８と、リング４０及び５０とを備えて構成される。
【００１０】
本体２０は、毛皮２２並びに布地２４及び２６が、例えば、縫合により貼り合わされて形成されている。また、本体２０は、本体２０が延びている方向である長手方向と、長手方向に対して概ね垂直な方向である短手方向とを有する。また、本実施形態において、本体２０は、長手方向において緩やかに湾曲した形状を有する。なお、本実施形態において、「長手方向」とは、本体２０が延びている方向に一致又は平行する方向や、本体２０が延びている方向に対して一定程度の角度を有する方向であるものの、本体２０の全体として見ると、本体２０が延びている方向に概ね一致する方向を含む。例えば、本実施形態において、本体２０は長手方向において緩やかに湾曲しているが、直線状に形成された本体２０が延びている方向も、本実施形態における長手方向の範囲に含まれる。
【００１１】
毛皮２２は、表面素材の一例であり、皮革部分と毛部分とを有する。毛皮２２は、皮革部分において布地２４と縫合されており、布地２４と一体となって本体２０を形成している。毛皮２２は、いわゆる一枚皮であってもよく、また、細長く裁断された毛皮が編み込まれたものであってもよい。なお、表面素材は、毛皮２２に限られず、いわゆるフェイクファー（人工毛皮）や、表面にスパンコールなどを貼り付けた生地などであってもよい。
【００１２】
布地２４は、裏面素材の一例であり、帯状体の一例であるスカーフ９０（図４参照）を襟巻１０に装着する際に、スカーフ９０が滑りやすい素材から形成される。布地２４は、長手方向及び短手方向を有する矩形形状を、長手方向において緩やかに湾曲させた形状を有する。布地２４は、短手方向（幅方向）の長さが、一端から他端まで略一定であり、例えば、７０ｍｍである。また、布地２４は、長手方向における、湾曲した内側の長さが、例えば、４４０ｍｍであり、外側の長さが、例えば、４８０ｍｍである。
【００１３】
布地２６は、中間素材の一例であり、毛皮２２と布地２４との間に形成される。布地２６は、毛皮２２と布地２４に縫合されており、毛皮２２と布地２４の双方に対して固定されている。具体的には、図３（ｂ）に示すとおり、毛皮２２の皮革部分及び布地２６は、その周囲が、互いに重ね合わせられた状態で折り返されている。また、布地２４も、その周囲が折り返されている。そして、毛皮２２の皮革部分及び布地２６と布地２４とは、当該折り返された部分において、ステッチ２８により縫合されている。これにより、毛皮２２並びに布地２４及び２６は、互いに固定されている。
【００１４】
布地２６は、柔軟性のある素材により形成されており、また、毛皮２２の皮革部分及び布地２４よりも厚く形成される。これにより、本体２０にふんわりした触感を与えることができ、スカーフ９０をガイド３０〜３８に挿通させて本体２０に装着する際に、挿通させやすいという効果を奏する。
【００１５】
ガイド３０〜３８は、第３ループの一例であり、スカーフ９０を挿通できるように、布地２４に設けられている。具体的には、ガイド３０〜３８は、帯状の矩形形状を有しており、その長辺方向の一端及び他端が、それぞれ布地２４の短手方向の端部付近において、布地２４に縫合され、固定されている。これにより、布地２４とガイド３０〜３８との間に間隙が形成され、かかる間隙にスカーフ９０を挿通することにより、スカーフ９０を、本体２０の長手方向に沿った方向に導き、本体２０が有する緩やかな曲線に沿って、本体２０に装着させることができる。なお、ガイド３０〜３８の形状は、ガイド３０〜３８を布地２４に縫合したときにスカーフ９０を挿通する間隙を形成できる形状であればよく、例えば、台形、三角形、楕円形など、矩形に限らない。
【００１６】
ガイド３０〜３８は、布地２４の素材よりも、摩擦係数が大きい素材により形成される。例えば、布地２４がサテン系の素材により形成される場合、ガイド３０〜３８は、スエードや人工スエード等といった、サテン系の素材よりも摩擦係数が大きい素材により形成される。これにより、スカーフ９０をガイド３０〜３８に挿通させて本体２０に装着する際には、スカーフ９０を布地２４に対して滑らせて本体２０に装着できるので装着が容易である。他方で、スカーフ９０を本体２０に装着した後に、襟巻１０を首に着用すると、スカーフ９０と首との間にガイド３０〜３８が位置しており、スカーフ９０が首の周囲方向に動こうとする力が働いても、スカーフ９０が、摩擦係数が大きいガイド３０〜３８と擦れ合うため、スカーフ９０が本体２０に対してずれ難いという効果を奏する。
【００１７】
ガイド３０〜３８のうち、ガイド３０は、布地２４の長手方向の中央付近において、布地２４に装着される。ガイド３０は、他のガイド３２〜３８よりも、幅広の形状又は大きい面積を有する。ガイド３０の幅は、例えば、５０ｍｍであり、ガイド３２〜３８の幅は、例えば、３０ｍｍである。また、本実施形態において、各ガイド３０〜３８の間隔は略一定であり、例えば、７０ｍｍである。また、布地２４の長手方向における一端とガイド３２との間隔、及び、他端とガイド３８との間隔は、それぞれ２０ｍｍである。
【００１８】
リング４０、５０は、それぞれ第１ループ及び第２ループの一例であり、布地２４の一端及び他端に設けられ、当該一端及び他端との間に、間隙４６、５６を形成するように設けられる。具体的には、本実施形態において、リング４０、５０は、直線部分４２、５２と直線部分４２、５０の両端に接続された円弧部分４４、５４とをからなるＤ字形状を有する。また、本実施形態において、リング４０、５０は、金属やプラスチックなど、少なくともガイド３０〜３８を形成する材料よりも硬い材料により形成される。もっとも、リング４０及び５０は、当該一端及び他端との間に、間隙４６、５６を形成していればよく、例えば、スエードや布素材などの柔らかい材料により形成されてもよい。リング４０及び５０は、同様の構成及び機能を有するため、以下、リング４０を例にして、リング４０及び５０の構成及び機能を説明する。
【００１９】
直線部分４２は、本体２０の一端において当該一端と略平行に位置するように、かつ、円弧部分４４を本体２０の一端から離れる方向に引っ張った際に、当該一端に引っ掛るように、本体２０の内側において当該一端に対して固定される。具体的には、図３に示すとおり、本体２０は、固定部２５を有しており、リング４０の直線部分４２は、固定部２５により本体２０に対して固定される。すなわち、まず、固定部２５は、ループ状に折り返して重ね合わせられた帯状の素材からなり、当該折り返された部分が、リング４０の直線部分４２に係合している。また、固定部２５は、当該折り返された部分から離れた、重ね合わせられた部分において、ステッチ２７により、毛皮２２及び布地２６に対して縫合されている。これにより、円弧部分４４を本体２０の一端から離れる方向に引っ張った際に、本体２０の一端にかかる力が本体２０の端部に集中しないため、本体２０の端部の耐久性を向上させることができる。
【００２０】
リング４０における直線部分４２の中心は、布地２４の一端において、短手方向の中心よりも端部よりに設けられる。これにより、スカーフ９０を装着した襟巻１０を首に着用した際に（図５参照）、安定感が得られるとともに、本体２０の両端から外側に出たスカーフ９０のアレンジのバリエーションを増やすことができる。
【００２１】
また、リング４０における直線部分４２の断面は、矩形形状を有する。これにより、リング４０が本体２０の内側において回転しにくくなるため、リング４０の向きが動きにくくなるため、スカーフ９０を装着した襟巻１０を首に着用した際に（図５参照）、さらに安定感が得られる。
【００２２】
円弧部分４４は、布地２４の一端から、本体２０の長手方向に沿った方向に突出して設けられており、当該方向において、布地２４の一端との間に間隙４６を形成している。間隙４６は、長手方向における径が、例えば、１５ｍｍ以上２５ｍｍ以下であり、短手方向における径が、例えば、２５ｍｍ以上３５ｍｍ以下である。
【００２３】
襟巻１０が、リング４０及び５０を有することにより、本体２０にスカーフ９０を装着した際に安定感が得られるとともに、襟巻１０を首に着用した際に、本体２０に装着したスカーフ９０などの帯状体が、布地２４の一端及び他端で移動してしまうことを防げるため、スカーフ９０を美しくアレンジすることができる。また、スカーフ９０の長さにかかわらず、襟巻１０を首に着用した際に、スカーフ９０をリング４０及び５０のみに通してアレンジすることができる。また、リング４０と５０とをフックで相対的に固定することにより、襟巻１０を首に装着してもよい。なお、襟巻１０は、必ずしもガイド３０〜３８を有する構成でなくともよい。
【００２４】
以上説明した各実施形態は、本発明の理解を容易にするためのものであり、本発明を限定して解釈するためのものではない。本発明は、その趣旨を逸脱することなく、変更／改良され得るととともに、本発明にはその等価物も含まれる。即ち、各実施形態に当業者が適宜設計変更を加えたものも、本発明の特徴を備えている限り、本発明の範囲に包含される。例えば、各実施形態が備える各要素及びその配置、材料、条件、形状、サイズなどは、例示したものに限定されるわけではなく適宜変更することができる。また、各実施形態は例示であり、異なる実施形態で示した構成の部分的な置換又は組み合わせが可能であることは言うまでもなく、これらも本発明の特徴を含む限り本発明の範囲に包含される。
【符号の説明】
【００２５】
１０  襟巻
２０  本体
２２  毛皮
２４  布地
３０〜３８  ガイド
４０、５０  リング
４２、５２  直線部分
４４、５４  円弧部分
４６、５６  間隙
９０  スカーフ
【図１】
2018035480.tif 000003
【図２】
2018035480.tif 000004
【図３】
2018035480.tif 000005
【図４】
2018035480.tif 000006
【図５】
2018035480.tif 000007